(57)【要約】【課題】絞り弁装置内でのガス粒（ガス塊）の肥大化を防止し、オリフィス通過後のガス粒が間欠的に膨張破裂することによる騒音を大幅に低減する。【解決手段】混入物捕捉用フィルタ要素２０より絞り通路部材２３へ流体を導く通路を複数個に分散された小径の分散連通孔２６とする。【選択図】　　　図１
2004003793.tif 000002
【特許請求の範囲】
【請求項１】
第１の入出口ポート、第２の入出口ポート、前記第１の入出口ポートと常時連通している弁室、前記弁室と前記第２の入出口ポートとの間に設けられた弁ポートを画定する弁ハウジングと、前記弁室内に設けられて前記弁ポートを開閉する弁体とを有する絞り弁装置において、
前記弁体の外周囲に筒形状の混入物捕捉用フィルタ要素が装着され、前記弁体内に、一方において前記混入物捕捉用フィルタ要素と連通し、他方において前記弁ポートに対して開口連通する態様で、絞り作用を行う絞り通路部材と流体流動音低減用フィルタ要素とが配置され、
前記混入物捕捉用フィルタ要素と弁体内の絞り通路部材・流体流動音低減用フィルタ要素の配置部とを連通接続する通路が、複数個の小径の分散連通孔によって与えられていることを特徴とする絞り弁装置。
【請求項２】
前記流体流動音低減用フィルタ要素は流体流れで見て前記絞り通路部材の上流側と下流側の両側に配置され、前記分散連通孔は一方にて前記混入物捕捉用フィルタ要素と直接又は、微少な隙間を持って連通し、他方において前記絞り通路部材より上流側の前記流体流動音低減用フィルタ要素と直接連通していることを特徴とする請求項１記載の絞り弁装置。
【請求項３】
前記混入物捕捉用フィルタ要素と前記流体流動音低減用フィルタ要素の個々の圧力損失および前記分散連通孔全体の圧力損失が、前記オリフィス部材の圧力損失より小さいことを特徴とする請求項１または２記載の絞り弁装置。
【請求項４】
前記流体流動音低減用フィルタ要素は流体流れで見て前記絞り通路部材の上流側と下流側の両側に配置されており、これら各流体流動音低減用フィルタ要素や、前記混入物捕捉用フィルタ要素は、焼結多層金網、多孔性焼結金属、発泡金属あるいは金属多孔体、プラスチック焼結多孔質体のいずれかによって構成されていることを特徴とする請求項１〜３の何れか１項記載の絞り弁装置。
【請求項５】
前記流体流動音低減用フィルタ要素および前記混入物捕捉用フィルタ要素が、公称濾過精度５０〜６００μｍのフィルタ材により構成されていることを特徴とする請求項１〜４の何れか１項記載の絞り弁装置。
【請求項６】
前記絞り通路部材より下流側の前記流体流動音低減用フィルタ要素よりもさらに下流側に、複数個の噴出孔を有する分散噴出部材を有していることを特徴とする請求項１〜５の何れか１項記載の絞り弁装置。
【請求項７】
前記弁体を開閉駆動する電磁アクチェータを有し、前記弁体は、前記弁ポートとは反対側にて前記弁室と連続しているプランジャ室に軸線方向移動可能に嵌合している前記電磁アクチェータのプランジャと連結され、前記混入物捕捉用フィルタ要素は、前記弁体と前記プランジャとの連結部に装着され、外径が前記プランジャの外径にほぼ等しいことを特徴とする請求項１〜６の何れか１項記載の絞り弁装置。
【請求項８】
前記絞り通路部材は、互いに並列に設けられた複数個のオリフィスを有していることを特徴とする請求項１〜７の何れか１項記載の絞り弁装置。
【請求項９】
圧縮機と、室外熱交換器と、第１の室内熱交換器と、第２の室内熱交換器と、これらをループ接続する冷媒通路と、前記室外熱交換器と前記第１の室内熱交換器との間の冷媒通路に設けられた膨張弁とを有し、前記第１の室内熱交換器と前記第２の室内熱交換器との間に、請求項１〜８の何れか１項に記載の絞り弁装置が接続されていることを特徴とする空気調和機。
【請求項１０】
冷房モード時における冷媒流れで見て前記混入物捕捉用フィルタ要素が前記絞り通路部材より上流側に位置するように前記絞り弁装置が接続されていることを特徴とする請求項９記載の空気調和機。
【発明の詳細な説明】
【０００１】
【発明の属する技術分野】
この発明は、絞り弁装置および空気調和機に関し、特に、除湿モードを有する空気調和機で除湿用絞り弁として使用される絞り弁装置および空気調和機に関するものである。
【０００２】
【従来の技術】
除湿運転を行える空気調和機として、室内熱交換器が２分割され、その２個の室内熱交換器間に、弁閉状態で絞り弁となる絞り弁装置（除湿用絞り弁、サイクルドライ弁）が設けられ、除湿運転時には、弁閉して絞り弁として作用する絞り弁装置の絞り通路を冷媒が流れることにより、２分割された室内熱交換器のうちの上流側の室内熱交換器を凝縮器、下流側の室内熱交換器を蒸発器とし、室内空気に対して下流側の室内熱交換器によって冷却・除湿を行い、上流側の室内熱交換器によって加熱を行い、空気温度を下げずに除湿を行うことができる除湿モード付きの空気調和機が知られている。
【０００３】
この種の除湿モード付きの空気調和機は、特開平２−１８３７７６号公報、特開平７−９１７７８号（特許第３０４７７０２号）公報、特開平１１−５１５１４号公報等に示されている。
【０００４】
上述のような空気調和機では、除湿運転時に、サイクルドライ用の絞り弁装置が弁閉状態になり、絞り効果を得るために、絞り弁装置の狭い絞り通路を冷媒が流れるため、噴流によって冷媒流が乱れ、絞り弁装置が設置される室内機において、冷媒噴出音が冷媒液中を伝播し、室内機の凝縮器、蒸発器が共鳴板として作用し、耳障りな冷媒擦過音（冷媒通過音）が発生する。このようなことは、圧縮機回転数の増加により、冷媒循環流量が増加することにより顕著になり、不快騒音レベルが上昇する。
【０００５】
このことに鑑みて、絞り通路に、焼結金属等による多孔質部材を設けたり、多孔質部材によって絞り通路を構成したりし、冷媒が多孔質部材を流れることにより整流化作用を得て冷媒擦過音を低減することが既に提案されている（実開平１−１５２１７６号公報、特開２０００−３４６４９５号公報）。
【０００６】
【発明が解決しようとする課題】
冷媒流中にはコンタミネーションと云われる固形の混入物が存在するから、長期間の使用において絞り通路に混入物が詰まり、絞り弁装置における冷媒流量が変化すると云う不具合が生じる。このため、長期間の使用において、安定した除湿運転性能を得ることが難しい。
【０００７】
また、サイクルドライ用の絞り弁装置を流れる冷媒は、液とガス（気体）との気液混合流体であり、絞り弁装置の内部に大きい空間があると、絞り弁装置内でガス粒（ガス塊）が肥大化し、そのガス粒が大きくなりすぎると、オリフィス通過直後のガス粒が膨張破裂してそのガス粒のガスが流れ、騒音を生じることになる。
【０００８】
この発明は、上述の如き問題点を解消するためになされたもので、絞り通路における混入物詰まりによる冷媒流量の変動を来すことなく冷媒擦過音を充分低減でき、長期間の使用においても、安定した除湿運転性能と静粛性を得ることができる絞り弁装置および空気調和機を提供することを目的としている。
【０００９】
【課題を解決するための手段】
上述の目的を達成するために、この発明による絞り弁装置は、第１の入出口ポート、第２の入出口ポート、前記第１の入出口ポートと常時連通している弁室、前記弁室と前記第２の入出口ポートとの間に設けられた弁ポートを画定する弁ハウジングと、前記弁室内に設けられて前記弁ポートを開閉する弁体とを有する絞り弁装置において、前記弁体の外周囲に筒形状の混入物捕捉用フィルタ要素が装着され、前記弁体内に、一方において前記混入物捕捉用フィルタ要素と連通し、他方において前記弁ポートに対して開口連通する態様で、絞り作用を行う絞り通路部材と流体流動音低減用フィルタ要素とが配置され、前記混入物捕捉用フィルタ要素と弁体内の絞り通路部材・流体流動音低減用フィルタ要素の配置部とを連通接続する通路が、複数個の小径の分散連通孔によって与えられている。
【００１０】
この発明による絞り弁装置によれば、弁閉時には、混入物捕捉用フィルタ要素→流体流動音低減用フィルタ要素→絞り通路部材→流体流動音低減用フィルタ要素の順に冷媒等の流体が流れ、混入物捕捉用フィルタ要素によって流体流れ中のコンタミネーション等の混入物捕捉が行われ、絞り通路部材によって絞り効果が得られ、流体流動音低減用フィルタ要素により整流化作用が得られる。
【００１１】
混入物捕捉用フィルタ要素を流れる流体が気液混合流体であると、混入物捕捉用フィルタ要素の通過によって気液混合流体中のガス粒が細分化され、混入物捕捉用フィルタ要素より絞り通路部材へ至る途中に大きい通路空間があると、ガス粒が滞留し易く、滞留中にガス粒が肥大化し、オリフィス通過直後のガス粒の間欠的な膨張破裂によって騒音が生じる原因となるが、混入物捕捉用フィルタ要素より絞り通路部材へ流体を導く通路が複数個に分散された小径の分散連通孔であることにより、個々の分散連通孔は大きい通路空間を呈さず、分散連通孔でガス粒が滞留せず、ガス粒が肥大化することがない。
【００１２】
また、この発明による絞り弁装置では、前記流体流動音低減用フィルタ要素は流体流れで見て前記絞り通路部材の上流側と下流側の両側に配置され、前記分散連通孔は一方にて前記混入物捕捉用フィルタ要素と直接又は、微少な隙間を持って連通し、他方において前記絞り通路部材より上流側の前記流体流動音低減用フィルタ要素と直接連通している。絞り通路部材より上流側の流体流動音低減用フィルタ要素は気泡再結合防止作用も行う。
【００１３】
また、この発明による絞り弁装置は、前記混入物捕捉用フィルタ要素と前記流体流動音低減用フィルタ要素の個々の圧力損失および前記分散連通孔全体の圧力損失が、前記絞り通路部材の圧力損失より小さい。これにより、絞り通路部材によって絞り弁装置による絞り度合い（絞り流量）が設定される。
【００１４】
なお、絞り通路部材によって絞り弁装置による絞り度合い（絞り流量）を設定する場合、この発明による絞り弁装置では、流体流れで見て前記絞り通路部材の上流側と下流側の両側に配置された各流体流動音低減用フィルタ要素や、前記混入物捕捉用フィルタ要素を、焼結多層金網、多孔性焼結金属、発泡金属あるいは金属多孔体、プラスチック焼結多孔質体のいずれかによって構成することができ、公称濾過精度が５０〜６００μｍのフィルタ材で構成されればよい。
【００１５】
また、この発明による絞り弁装置は、更に、前記絞り通路部材より下流側の前記流体流動音低減用フィルタ要素よりもさらに下流側に、複数個の噴出孔を有する分散噴出部材を有している。これにより、単一孔である場合に比して流体流動音低減用フィルタ要素を流れる流体の流路長が長くなり、流体流動音低減用フィルタ要素の有効度が増し、また、隣接する噴出孔の噴出流同士の干渉により衝撃波が打ち消し合う作用が得られる。
【００１６】
また、この発明による絞り弁装置は、前記弁体を開閉駆動する電磁アクチェータを有し、前記弁体は、前記弁ポートとは反対側にて前記弁室と連続しているプランジャ室に軸線方向移動可能に嵌合している前記電磁アクチェータのプランジャと連結され、前記混入物捕捉用フィルタ要素は、前記弁体と前記プランジャとの連結部に装着され、外径が前記プランジャの外径にほぼ等しい。これにより、弁ハウジングの外径寸法を大きくすることなく構成できる。
【００１７】
この発明による絞り弁装置に組み込まれる絞り通路部材は、単一孔オリフィス、クロススリットオリフィスのもの以外に、互いに並列に設けられた複数個のオリフィスを有してものでよい。複数オリフィスの場合、流体流が各オリフィスを分流するので、各オリフィスより噴出する流体流の運動エネルギが分散低減し、それに伴う流体流動音が低減する。
【００１８】
また、この発明による空気調和機は、圧縮機と、室外熱交換器と、第１の室内熱交換器と、第２の室内熱交換器と、これらをループ接続する冷媒通路と、前記室外熱交換器と前記第１の室内熱交換器との間の冷媒通路に設けられた膨張弁とを有し、前記第１の室内熱交換器と前記第２の室内熱交換器との間に上述の発明による絞り弁装置が接続されているものである。
【００１９】
この発明による空気調和機によれば、絞り弁装置は、弁閉することにより、第１の室内熱交換器と第２の室内熱交換器との間で、絞り作用を行い、除湿用絞り弁として機能する。
【００２０】
この発明による空気調和機においては、冷房モード時における冷媒流れで見て前記混入物捕捉用フィルタ要素が前記絞り通路部材より上流側に位置するように前記絞り弁装置を接続することができる。
【００２１】
【発明の実施の形態】
以下に添付の図を参照してこの発明の実施の形態を詳細に説明する。
図１はこの発明による絞り弁装置１０の実施の形態１を示している。
【００２２】
絞り弁装置１０は金属製の弁ハウジング１１を有している。弁ハウジング１１は、第１の入出口ポート１２と、第２の入出口ポート１３と、第１の入出口ポート１２と常時直接連通している弁室１４と、弁室１４と第２の入出口ポート１３との間に設けられた弁ポート１５とを画定している。弁ポート１５の弁室１４の側の開口端周りには弁座部１６が画定されている。
【００２３】
弁室１４には弁体１７が図にて上下方向（弁リフト方向）に移動可能に設けられている。弁体１７は、先端外周面１７Ａにて弁ポート１５の周りに画定されている弁座部１６に着座して弁ポート１５を閉じる弁閉位置と、弁座部１６より離れて弁ポート１５の連通を確立する弁開位置との間に移動可能になっている。
【００２４】
弁ハウジング１１には電磁ソレノイド装置３０が取り付けられている。電磁ソレノイド装置３０は、弁ハウジング１１に一体形成されたプランジャチューブ部３１と、プランジャチューブ部３１内に画定されたプランジャ室３１Ａに軸線方向に移動可能に嵌合したプランジャ３２と、プランジャチューブ部３１の先端部に固定されたプラグ状のコイルガイド部材３３と、プランジャチューブ部３１の外側にボルト３４によってコイルガイド部材３３に取り付けられたコの字形の外凾３５と、プランジャチューブ部３１の外周囲に固定された電磁コイル部３６と、プランジャ３２をコイルガイド部材３３側に付勢する圧縮コイルばね（弁開ばね）３７とにより構成されている。
【００２５】
弁室１４は弁ポート１５とは反対側（上側）にてプランジャ室３１Ａと直接連続しており、弁体１７は、上側のステム部１７Ｂによってプランジャ３２とかしめ結合されている。
【００２６】
これにより、電磁ソレノイド装置３０は、電磁コイル部３６に通電が行われていない非通電時には圧縮コイルばね３７のばね力によってプランジャ３２と共に弁体１７を上方（弁開方向）へ駆動し、これに対し、電磁コイル部３６に通電が行われている通電時には、プランジャ３２が圧縮コイルばね３７のばね力に抗して外凾３５の下側片部３５Ａ側に磁気的に吸引されることにより、弁体１７を下方（弁閉方向）へ駆動する。なお、図１は通電状態を示している。
【００２７】
すなわち、電磁ソレノイド装置３０は、非通電時には圧縮コイルばね３７のばね力により弁体１７を弁座部１６より引き離した弁開位置へ駆動し、通電時には圧縮コイルばね３７のばね力に抗して弁体１７を弁座部１６に着座させる弁閉位置へ駆動する常開型になっている。
【００２８】
弁体１７は弁ポート１５の真上位置にあり、弁体１７には弁ポート１５に向かい合う先端面（下底面）に開口した中空開口部１８が中ぐり状に形成されている。中空開口部１８は、下端開口で、上端が閉じられた有底孔をなしている。弁体１７外周部には、先端外周面１７Ａ近傍よりプランジャ３２との連結端側（上端側）に至る広範囲に亘って周溝１９が形成されている。
【００２９】
周溝１９には円筒状の混入物捕捉用フィルタ要素２０が嵌合装着されている。混入物捕捉用フィルタ要素２０は、周溝１９に填められてフィルタ外径をプランジャ３２の外径にほぼ等しい寸法に設定されており、このことにより、弁ハウジング１１の外径寸法が大きくなることがない。
【００３０】
混入物捕捉用フィルタ要素２０は、混入物捕捉と気液混合流体中のガス粒が細分化を行い、多少目詰まりしても、当該フィルタにおける圧力損失が後述の絞り通路部材２３による圧力損失より大きくならないことを要求され、ステンレス鋼、真鍮等による連続気孔構造の多孔性焼結金属（たとえば、ＳＭＣ（株）社製の焼結金属エレメント）、ニッケル、ニッケル・銅合金等による三次元網目状の発泡金属あるいは金属多孔体（たとえば、住友電気工業（株）社製の商品名セルメット）、プラスチック粉末を原料として焼結成形した連続気孔構造のプラスチック焼結多孔質体（たとえば、染谷製作所製のプラスチック焼結多孔質体）、ステンレス鋼等による金網を数枚重ねて焼結した焼結多層金網等のロングライフタイプのフィルタ材によって構成することができる。なお、ここで云う発泡金属、金属多孔体は、三次元網目状の発泡樹脂に導電処理を施し、これにニッケル、ニッケル・銅合金等を電気メッキしたものである。
【００３１】
混入物捕捉用フィルタ要素２０の濾過性能は、原料を粒度区分した名称である公称濾過精度によって表すことができ、多孔性焼結金属、発泡金属あるいは金属多孔体、プラスチック焼結多孔質体による場合には、気孔径が５０〜５００μｍ程度で、公称濾過精度は、混入物捕捉および気液混合流体中のガス粒が細分化と正常な流れを維持するための流動抵抗限界（フィルタの圧力損失限界）を両立するために、５０〜２００μｍ程度、より好ましくは５０〜１５０μｍ程度に設定されればよい。
【００３２】
混入物捕捉用フィルタ要素２０を焼結多層金網（焼結積層金属メッシュ）によって構成する場合には、図９、図１０に例示されているように、４層以上で、各層の網目の角度をずらして積層焼結したものを使用する。焼結多層金網の場合、混入物捕捉と正常な流れを維持するための流動抵抗限界を両立するために、目開きが１００〜５００μｍ、公称濾過精度で云えば５０〜２００μｍ程度のものであればよい。
【００３３】
中空開口部１８には、下端開口より円柱状の流体流動音低減用フィルタ要素２１、オリフィス通路２２を形成された板状の絞り通路部材２３、円柱状の流体流動音低減用フィルタ要素２４が順に挿入され、これらは座金２５を介してかしめにより弁体１７に固定されている。これにより、中空開口部１８の最上位に流体流動音低減用フィルタ要素２１があり、これの下位に絞り通路部材２３があり、最下位にもう一つの流体流動音低減用フィルタ要素２４があり、流体流動音低減用フィルタ要素２４は下底面にて中空開口部１８の下端開口に露呈している。
【００３４】
流体流動音低減用フィルタ要素２１、２４は、流体流れで見て絞り通路部材２３の上流側と下流側の両側に配置され、静音化のために液流中のガス粒の細分化、液流の整流化を行い、多少目詰まりしても、当該フィルタにおける圧力損失が絞り通路部材２３による圧力損失より大きくならないことを要求され、ステンレス鋼、真鍮等による連続気孔構造の多孔性焼結金属（たとえば、ＳＭＣ（株）社製の焼結金属エレメント）、ニッケル、ニッケル−銅合金による三次元網目状の発泡金属あるいは金属多孔体（たとえば、住友電気工業（株）社製の商品名セルメット）、プラスチック粉末を原料として焼結成形した連続気孔構造のプラスチック焼結多孔質体（たとえば、染谷製作所製のプラスチック焼結多孔質体）、ステンレス鋼等による金網を数枚重ねて焼結した焼結多層金網等のロングライフタイプのフィルタ材によって構成することができる。
【００３５】
流体流動音低減用フィルタ要素２１、２４の濾過性能は、混入物捕捉用フィルタ要素２０と同様に、原料を粒度区分した名称である公称濾過精度によって表すことができ、多孔性焼結金属、発泡金属あるいは金属多孔体、プラスチック焼結多孔質体による場合には、気孔径が５０〜５００μｍ程度で、公称濾過精度は、静音作用と正常な流れを維持するための流動抵抗限界（フィルタの圧力損失限界）を両立するために、３００〜６００μｍ、より好ましくは４００〜６００μｍ程度に設定されればよい。
【００３６】
流体流動音低減用フィルタ要素２１、２４を焼結多層金網（焼結積層金属メッシュ）によって構成する場合には、混入物捕捉用フィルタ要素２０と同様に、図９、図１０に例示されているように、５層以上で、各層の網目の角度をずらして積層焼結したものを使用する。焼結多層金網の場合、静音作用と正常な流れを維持するための流動抵抗限界を両立するために、目開きが１００〜７００μｍ、公称濾過精度で云えば３００〜６００μｍ程度、より好ましくは４００〜６００μｍ程度のものであればよい。
【００３７】
絞り通路部材２３のオリフィス通路２２は、図２に示されているような単一孔オリフィス２２Ａ、あるいは図３に示されているようなクロススリットオリフィス２２Ｂにより構成されている。
【００３８】
また、絞り通路部材２３は、図４、図５に示されているように、複数個のオリフィス２２Ｃを互いに並列に設けられたものであってもよい。絞り通路部材２３の絞り通路断面積に適正値Ａｔが存在する場合、オリフィス２２Ｃの個数（孔数）をｎ、各オリフィス２２Ｃの通路断面積をＡｏで互いに等しくし、Ａｏ＝Ａｔ／ｎが成立するよう、各オリフィス２２Ｃの通路断面積Ａｏを設定する。これにより、トータルで、単一孔のものと流量が同じになる。
【００３９】
このような、複数オリフィスの場合、流体流が各オリフィス２２Ｃを分流するので、各オリフィスより噴出する流体流の運動エネルギが分散低減し、それに伴う流体流動音が低減する。
【００４０】
たとえば、絞り通路部材２３の単一口径（直径）を０．８ｍｍ、絞り通路前後圧力差０．０９８ＭＰａ、流量を毎分９リットルとした場合、図４に示されているように、孔数＝２で、各オリフィス２２Ｃの口径を０．５７ｍｍとすると、後述する空気調和機の組み込みにおいて、同一条件で単一孔のものに比して騒音が低減した。また、図５に示されているように、孔数＝３で、各オリフィス２２Ｃの口径を０．４７ｍｍとすると、更に、騒音が低減した。
【００４１】
弁体１７には周溝１９の溝底部と中空開口部１８の上端近傍とを連通接続する小径（口径０．５〜０．７ｍｍ程度）の分散連通孔２６が複数個（最低２個）、放射状に形成されている。これにより、分散連通孔２６は、各々、一方にて周溝１９に配置されている混入物捕捉用フィルタ要素２０の内周面と直接又は、微少な隙間を持って連通し、他方において絞り通路部材２３より上流側の流体流動音低減用フィルタ要素２１の上端側外周面と直接連通している。
【００４２】
ここで、混入物捕捉用フィルタ要素２０と流体流動音低減用フィルタ要素２１、２４の個々の圧力損失および複数個の分散連通孔２６全体（合計値）の圧力損失は、絞り通路部材２３の圧力損失より小さい。これにより、絞り通路部材２３に形成されるオリフィス通路２２の断面積によって絞り弁装置１０による絞り度合い（絞り流量）が正確に設定される。
【００４３】
つぎに、上述の構成による絞り弁装置１０の動作について説明する。
電磁ソレノイド装置３０に通電が行われていない状態では、電磁ソレノイド装置３０の圧縮コイルばね３７のばね力によってプランジャ３２と共に弁体１７が持ち上げられて弁座部１６より離れ、弁ポート１５が完全に開かれた全開の実質的な絞り作用がない弁開状態が得られる。
【００４４】
電磁ソレノイド装置３０に通電が行われると、圧縮コイルばね３７のばね力に抗してプランジャ３２が外凾３５の下側片部３５Ａの側に磁気的に吸引され、弁体１７が弁閉方向へ駆動され、図１に示されているように、弁体１７が先端外周面１７Ａをもって弁座部１６に着座する。
【００４５】
この弁閉状態では、混入物捕捉用フィルタ要素２０、分散連通孔２６、流体流動音低減用フィルタ要素２１、絞り通路部材２３のオリフィス通路２２、流体流動音低減用フィルタ要素２４、弁ポート１５をもって弁室１４と第２の入出口ポート１３とが連通し、第１の入出口ポート１２が高圧側で、第２の入出口ポート１３が低圧側である場合には、混入物捕捉用フィルタ要素２０→分散連通孔２６→流体流動音低減用フィルタ要素２１→絞り通路部材２３のオリフィス通路２２→流体流動音低減用フィルタ要素２４の順に冷媒等の流体が流れる。
【００４６】
上述のように流体が流れることにより、まず、円筒状で表面積が大きい混入物捕捉用フィルタ要素２０によって流体流れ中のコンタミネーションの捕捉が行われると共に液流中の気泡（ガス粒）の細分化が行われ、そして流体は、複数個の分散連通孔２６の各々を通り、分散された流れで流体流動音低減用フィルタ要素２１に流入し、流体流動音低減用フィルタ要素２１、絞り通路部材２３のオリフィス通路２２、流体流動音低減用フィルタ要素２４を順に通過する。これにより、オリフィス通路孔２２によって所要の絞り効果が得られ、その前後の流体流動音低減用フィルタ要素２１、２４により整流化作用が得られ、整流化作用によって流体流動音が低減し、静音性が向上する。
【００４７】
また、混入物捕捉用フィルタ要素２０によって流体流中のコンタミネーションの捕捉が行われるから、長期間の使用においても、オリフィス通路２２にコンタミネーションが詰まることがなく、安定した絞り効果が得られ、混入物捕捉用フィルタ要素２０は円筒状で表面積が大きいから、目詰まりに関して長期間の使用に耐えることができる。
【００４８】
混入物捕捉用フィルタ要素２０を流れる流体が気液混合流体であると、混入物捕捉用フィルタ要素２０の通過によって気液混合流体中のガス粒が細分化され、細分化されたガス粒は、流速抵抗が液体より大きく、浮力によって上部に停溜し易く、停溜中にガス粒の再結合によって大きいものになり易く、オリフィス通過直後のガス粒の間欠的な膨張破裂によって騒音（チリチリ音）が生じる。
【００４９】
このことに対して、混入物捕捉用フィルタ要素２０より、流体流動音低減用フィルタ要素２１、絞り通路部材２３へ流体を導く通路が複数個に分散された小径の分散連通孔２６であることにより、個々の分散連通孔２６は大きい通路空間を呈さないから、各分散連通孔２６でガス粒が滞留せず、ガス粒が肥大化することがない。これにより、オリフィス通過直後のガス粒の間欠的な膨張破裂によって騒音が生じることが回避され、静音性がさらに向上する。
【００５０】
また、混入物捕捉用フィルタ要素２０の外径がプランジャ３２の外径にほぼ等しく、弁室１４の上方部に気液混合流体中のガス粒が肥大化するような大きい空間が存在しないから、弁室１４の上方部にガス粒が溜ることがない。このことによっても、ガス粒が肥大化することが防止され、オリフィス通過直後のガス粒の間欠的な膨張破裂によって騒音が生じることが回避され、静音性がさらに向上する。
【００５１】
図６はこの発明による絞り弁装置１０の実施の形態２を示している。なお、図６において、図１に対応する部分は、図１に付した符号と同一の符号を付けて、その説明を省略する。
【００５２】
この実施の形態では、絞り通路部材２３より下流側の流体流動音低減用フィルタ要素２４より下流側に、複数個の噴出孔２７を有する分散噴出部材２８（図７参照）が取り付けられている。
【００５３】
分散噴出部材２８であると、複数個の噴出孔２７の各々より流体が噴出するから、単一孔である場合に比して、流体流動音低減用フィルタ要素２４を流れる流体の流路長が長くなり、流体流動音低減用フィルタ要素２４の有効度が増し、また、隣接する噴出孔２７の噴出流同士の干渉により衝撃波が打ち消し合う作用が得られる。これにより、静音性が更に改善される。
【００５４】
また、この実施の形態２では、弁体１７外周部の周溝１９に、混入物捕捉用フィルタ要素２０の内周面と分散連通孔２６との間に微少な隙間を形成するための凹部１９Ａが設けられている。
【００５５】
この凹部１９Ａが弁体１７外周部の周溝１９に設けられていることにより、分散連通孔２６と混入物捕捉用フィルタ要素２０とが微少な隙間を持って連通し、分散連通孔２６を通過した冷媒の流速が、この分散連通孔２６よりも最大通過可能流量の低い混入物捕捉用フィルタ要素２０の存在によって減速されることがなくなる。
【００５６】
したがって、冷媒中に混入しているコンタミネーションと云われる固形の混入物が分散連通孔２６の内壁に付着しようとしても、混入物捕捉用フィルタ要素２０によって流速を減じられることのない、分散連通孔２６を通過した冷媒の流勢によって、実際に分散連通孔２６の内壁に付着することが防止され、分散連通孔２６の目詰まりを防ぐことができるようになる。
【００５７】
なお、上述した弁体１７外周部の周溝１９の凹部１９Ａは、図１に示されている実施の形態における絞り弁装置１０にも、同様に設けることができ、逆に、図６に示されている実施の形態２の絞り弁装置１０で設けた弁体１７外周部の周溝１９の凹部１９Ａは、図１に示されている実施の形態における絞り弁装置１０のように、別段問題がなければ省略することもできる。
【００５８】
図８は上述した実施の形態１あるいは実施の形態２による絞り弁装置１０をサイクルドライ弁として組み込まれた空気調和機を示している。
【００５９】
この空気調和機は、圧縮機５０と、室外熱交換器５１と、第１の室内熱交換器５２と、第２の室内熱交換器５３と、これらをループ接続する冷媒通路５５〜６３と、室外熱交換器５１と第１の室内熱交換器５２との間の冷媒通路（５７〜５９）に設けられた膨張弁５４と、冷房モードと暖房モードとの切換のためにループ接続された冷媒通路５５〜６３における冷媒の流れ方向を反転する四方弁６４とを有している。
【００６０】
第１の室内熱交換器５２と第２の室内熱交換器５３との間の冷媒通路６０には絞り弁装置（サイクルドライ弁）１０が接続されている。
【００６１】
冷房モードでは、図８にて実線の矢印で示されている方向に冷媒が循環し、絞り弁装置１０が弁開している状態で、冷房モードが得られ、絞り弁装置１０が弁閉している状態では、当該絞り弁装置１０が絞り弁として作用し、冷房サイクルドライモード（冷房時除湿）が得られる。
【００６２】
冷房サイクルドライモードにおいては、絞り弁装置１０のオリフィス通路２２より冷媒流で見て上流側に混入物捕捉用フィルタ要素２０が存在することになる。これにより、オリフィス通路２２より上流側で冷媒流中のコンタミネーションの捕捉が行われ、オリフィス通路２２がコンタミネーションによって汚染されることがなく、長期間の使用においても、絞り効果が変動することがなく、冷房サイクルドライモードの性能が低下することがない。
【００６３】
また、絞り弁装置１０は空気調和機の室内機に設けられるが、絞り弁装置１０には、流体流動音低減用フィルタ要素２１、２４が設けられていたり、分散連通孔２６が設けられていたり、弁室１４の上方部に気液混合流体中のガス粒が肥大化するような大きい空間が存在しないこと等によって、耳障りな冷媒擦過音や、オリフィス通過直後のガス粒の間欠的な膨張破裂による騒音を生じることがない。
【００６４】
なお、暖房モードでは、図８の矢印で示されている方向とは逆方向に冷媒が循環し、通常、絞り弁装置１０は弁開状態を維持する。
【００６５】
【発明の効果】
以上の説明から理解される如く、この発明による絞り弁装置によれば、混入物捕捉用フィルタ要素によって流体流れ中のコンタミネーション等の混入物捕捉が行われ、絞り通路部材によって絞り効果が得られ、流体流動音低減用フィルタ要素により整流化作用が得られ、更に、混入物捕捉用フィルタ要素より絞り通路部材へ流体を導く通路が複数個に分散された小径の分散連通孔であることにより、個々の分散連通孔は大きい通路空間を呈さず、分散連通孔でガス粒が滞留せず、ガス粒が肥大化することがないから、オリフィス通過直後のガス粒の間欠的な膨張破裂によって騒音が生じることがなく。静音性が向上する。
【００６６】
また、この発明による空気調和機によれば、第１の室内熱交換器と第２の室内熱交換器との間に、上述の絞り弁装置が接続されていることにより、冷房モードにおいて、絞り弁装置が弁閉状態になることにより、除湿運転が行われる。この空気調和機に組み込まれる絞り弁装置は、流体擦過音が小さく、ガス粒の肥大化による騒音を生じることがなく、静粛性に優れ、絞り部をコンタミネーションによって汚染されることがなく、長期間の使用においても、絞り効果が変動することがなく、冷房サイクルドライモードの性能が低下することがない。
【図面の簡単な説明】
【図１】この発明による絞り弁装置の実施の形態１を示す弁閉状態の断面図である。
【図２】この発明による絞り弁装置で使用される絞り通路部材の一つの実施の形態を示す平面図である。
【図３】この発明による絞り弁装置で使用される絞り通路部材の他の実施の形態を示す平面図である。
【図４】この発明による絞り弁装置で使用される絞り通路部材の他の実施の形態を示す平面図である。
【図５】この発明による絞り弁装置で使用される絞り通路部材の他の実施の形態を示す平面図である。
【図６】この発明による絞り弁装置の実施の形態２を示す弁閉状態の断面図である。
【図７】この発明による絞り弁装置で使用される分散噴出部材の一つの実施の形態を示す斜視図である。
【図８】この発明による絞り弁装置が組み込まれた空気調和機を示すブロック図である。
【図９】この発明による絞り弁装置の実施の形態で使用される流体流動音低減用フィルタ要素や混入物捕捉用フィルタ要素に使用可能な焼結多層金網の構成の一例を示す部分拡大平面図である。
【図１０】この発明による絞り弁装置の実施の形態で使用される流体流動音低減用フィルタ要素や混入物捕捉用フィルタ要素に使用可能な焼結多層金網の構成の他の例を示す部分拡大平面図である。
【符号の説明】
１０　絞り弁装置
１１　弁ハウジング
１２　第１の入出口ポート
１３　第２の入出口ポート
１４　弁室
１５　弁ポート
１６　弁座部
１７　弁体
１９Ａ　凹部
２０　混入物捕捉用フィルタ要素
２１　流体流動音低減用フィルタ要素
２３　絞り通路部材
２４　流体流動音低減用フィルタ要素
２６　分散連通孔
２８　分散噴出部材
３０　電磁ソレノイド装置
３２　プランジャ
３６　電磁コイル部
５０　圧縮機
５１　室外熱交換器
５２　第１の室内熱交換器
５３　第２の室内熱交換器
５４　膨張弁
６４　四方弁
【図１】
2004003793.tif 000003
【図２】
2004003793.tif 000004
【図３】
2004003793.tif 000005
【図４】
2004003793.tif 000006
【図５】
2004003793.tif 000007
【図６】
2004003793.tif 000008
【図７】
2004003793.tif 000009
【図８】
2004003793.tif 000010
【図９】
2004003793.tif 000011
【図１０】
2004003793.tif 000012